(57)【要約】      （修正有）【課題】パーティションを挟んで両側の一方又は両方から開閉および施錠が可能な開閉式パーティションの施錠金具を提供する。【解決手段】戸当たり部１１を有する戸当たり金具と、パーティションの縦枠３１に装着され、戸当たり部に当接する施錠金具本体とを備え、施錠金具本体は、第１の側板部２１と、第２の側板部２２と、第１および第２の両側板部を連結する連結板部と、両側板部のいずれかの側のパーティションの縦枠に圧設されるねじ穴３４と、ねじ穴と螺合し、縦枠に形成された貫通穴および両側板部の長穴を連通し、施錠金具本体を縦枠に沿って上下方向にスライド可能に保持するボルト４と、施錠金具本体を挿通したボルトのねじ部に固定されるナット５と、を備え、両側板部のうち少なくとも１つの側板部は戸当たり部を収容するための下方が開口した隙間２７を有し、施錠金具本体を長穴に沿って上下動させることにより戸当たり部を隙間から着脱可能に係合する。【選択図】図８
0003216444.tif 000002
【実用新案登録請求の範囲】
【請求項１】
開口部の一側部に蝶番によって回動可能に取り付けられた開閉式パーティションを閉じた状態で施錠するための施錠金具であって、
前記開口部の他側部から開口部内に突出し、前記パーティションの縦枠が当接する戸当たり部を有する戸当たり金具と、
前記パーティションの縦枠に装着され、前記戸当たり金具の戸当たり部に当接する施錠金具本体とを備え、
前記施錠金具本体は、
前記パーティションの縦枠の一側面部に位置し、ボルト挿通用の縦向きの長穴を有する第１の側板部と、
前記パーティションの縦枠の他側面部に位置し、前記第１の側板部の長穴と連通するボルト挿通用の縦向きの長穴を有する第２の側板部と、
前記パーティションの縦枠の端面部に位置し、前記第１および第２の両側板部を連結する連結板部と、  前記第１または第２の側板部のいずれかの側のパーティションの縦枠に圧設されるねじ穴と、
前記ねじ穴と螺合し、前記パーティションの縦枠に形成された貫通穴および前記両側板部の長穴を連通し、前記施錠金具本体を縦枠に沿って上下方向にスライド可能に保持するボルトと、
前記施錠金具本体を挿通したボルトのねじ部に固定されるナットと、
を備え、
前記第１および第２の側板部のうち少なくとも１つの側板部は、前記戸当たり部を収容する隙間を有し、
この隙間は、前記戸当たり部を挿入するために下方が開口しており、前記施錠金具本体を前記長穴に沿って上下動させることにより前記戸当たり部を前記隙間から着脱可能に係合したことを特徴とする、開閉式パーティションの施錠金具。
【請求項２】
前記ねじ穴が、縦枠に圧設されるブラインドナットである請求項１に記載の施錠金具。
【請求項３】
前記連結板部は、ねじを挿通するための縦向きの長穴と、
前記連結板部を前記パーティションの縦枠に取り付けて、前記長穴に沿って上下方向にスライド可能に保持するねじと、を有する請求項１または２に記載の施錠金具。
【請求項４】
前記第１および第２の側板部の上端部に、前記長穴の周縁部を囲う把手部が設けられた請求項１〜３のいずれかに記載の施錠金具。
【考案の詳細な説明】
【技術分野】
【０００１】
本考案は、特にマンション等の集合住宅のベランダにおける隣家との間仕切りや目隠し等として用いられる開閉式パーティションの施錠金具に関する。
【背景技術】
【０００２】
マンション等の集合住宅のベランダに設置されるパーティションは、隣家との間仕切りや目隠し等として必要なものであるが、ベランダの改修工事中は、パーティションが邪魔になって作業員は隣室のベランダを互いに直接行き来することができず、作業員はベランダの柵や手摺を乗り越え、建物の外側に設置された足場に移り、さらにそこからまた手摺を乗り越えて、隣室のベランダに移る必要がある。そのため、改修工事中には、パーティションを開けて各戸間を工事作業員が行き来できるのが作業効率のうえから望ましい。そこで、特許文献１に示すようなパーティションボードの取付構造が提案されている。
【０００３】
このようなパーティションは、隣家とのベランダを仕切るものであるから、通常、建物躯体壁と手摺との間に設置される。パーティションの幅および高さは、ベランダの大きさや集合住宅の種類により異なるが、一般には同じ大きさのベランダには同じ幅および高さのパーティションを使用している。
【０００４】
しかしながら、同じ大きさのベランダであっても、建物躯体壁と手摺との間の幅に、施工誤差による約５〜４０ｍｍ程度の隙間が生じることがある。開閉式パーティションの場合は、一般に建物躯体壁側に蝶番を、手摺側に施錠金具を取り付ける関係から、パーティションと手摺側との隙間が狭すぎたり、逆に広すぎたりすると、施錠金具の取り付けができないという問題があった。すなわち、パーティションと手摺側との隙間の幅が広すぎる場合は、シール部材（パッキン）を壁か手摺の片側もしくは両側の金具に配置して調整するが、ばらつき（誤差）が大きい場合は多くのシール部材を使うことになってしまい、取り付けが不安定になってしまう。また、パーティションと手摺側との隙間が狭すぎると、施錠金具の取り付けが不可能となる。
【０００５】
さらに、集合住宅のベランダの補修工事の際、作業効率のうえから、パーティションは仕切られた２つのベランダのどちら側からでも開閉でき、かつどちら側からでも施錠および開錠可能なものであることが望まれている。
【先行技術文献】
【特許文献】
【０００６】
【特許文献１】特開２００２−３６４０６４号公報
【考案の概要】
【考案が解決しようとする課題】
【０００７】
本考案の課題は、開閉式パーティションの施錠が可能であり、しかもパーティションを挟んで両側の一方又は両方から開閉および施錠が可能な開閉式パーティションの施錠金具を提供することにある。
【課題を解決するための手段】
【０００８】
本考案者は、上記課題を解決すべく鋭意検討を重ねた結果、本考案を完成するに至った。すなわち、本考案は以下の構成からなる。
（１）開口部の一側部に蝶番によって回動可能に取り付けられた開閉式パーティションを閉じた状態で施錠するための施錠金具であって、前記開口部の他側部から開口部内に突出し、前記パーティションの縦枠が当接する戸当たり部を有する戸当たり金具と、前記パーティションの縦枠に装着され、前記戸当たり金具の戸当たり部に当接する施錠金具本体とを備える開閉式パーティションの施錠金具である。前記施錠金具本体は、前記パーティションの縦枠の一側面部に位置し、ボルト挿通用の縦向きの長穴を有する第１の側板部と、前記パーティションの縦枠の他側面部に位置し、前記第１の側板部の長穴と連通するボルト挿通用の縦向きの長穴を有する第２の側板部と、前記パーティションの縦枠の端面部に位置し、前記第１および第２の両側板部を連結する連結板部と、前記第１または第２の側板部のいずれかの側のパーティションの縦枠に圧設されるねじ穴と、前記ねじ穴と螺合し、前記パーティションの縦枠に形成された貫通穴および前記両側板部の長穴を連通し、前記施錠金具本体を縦枠に沿って上下方向にスライド可能に保持するボルトと、前記施錠金具本体を挿通したボルトのねじ部に固定されるナットと、を備える。前記第１および第２の側板部のうち少なくとも１つの側板部は、前記戸当たり部を収容する隙間を有し、この隙間は、前記戸当たり部を挿入するために下方が開口しており、前記施錠金具本体を前記長穴に沿って上下動させることにより前記戸当たり部を前記隙間から着脱可能に係合する。
（２）前記ねじ穴が、縦枠に圧設されるブラインドナットである（１）に記載の施錠金具。
（３）前記連結板部は、ねじを挿通するための縦向きの長穴と、前記連結板部を前記パーティションの縦枠に取り付けて、前記長穴に沿って上下方向にスライド可能に保持するねじと、を有する（１）または（２）に記載の施錠金具。
（４）前記第１および第２の側板部の上端部に、前記長穴の周縁部を囲う把手部が設けられた（１）〜（３）のいずれかに記載の施錠金具。
【考案の効果】
【０００９】
本考案によれば、パーティションに取り付けられた施錠金具において、パーティションおよび施錠金具本体の両側板部の長穴を貫通するボルトと、両側板部のいずれかの側のパーティションの縦枠に圧設され、ボルトが螺合するねじ穴と、このボルトのねじ部に固定されるナットとが設けられており、施錠金具本体が縦枠に沿って長穴を上下動させることで、戸当たり金具の戸当たり部とにより、パーティションの施錠および開錠ができる。また、施錠金具本体の両側板部のうち少なくとも１つの側板部は、戸当たり金具の戸当たり部を収容する隙間を有しているので、パーティションと壁面または手摺との間にできる隙間のばらつきの大小にかかわらず、パーティションを施錠することができる。
さらに、本考案によれば、パーティションを共用廊下の両側の一方または両方から開閉および施錠することができ、補修工事の施工効率を向上させることができる。
【図面の簡単な説明】
【００１０】
【図１】本考案の一実施形態に係る施錠金具を取り付けた開閉式パーティションの使用状態を示し、（ａ）は開口部をパーティションで閉じた状態の正面図、（ｂ）は開口部を開いた状態の正面図である。
【図２】本考案の一実施形態に係る戸当たり金具を示す斜視図である。
【図３】本考案の一実施形態に係る施錠金具本体を示す平面図である。
【図４】本考案の一実施形態に係る施錠金具本体を示す側面図であり、（ａ）は第１の側板部、（ｂ）は第２の側板部を示す。
【図５】本考案の一実施形態に係る施錠金具本体を示す正面図である。
【図６】本考案の一実施形態に係る施錠金具本体を示す背面図である。
【図７】施錠状態での本考案の一実施形態に係る施錠金具を示す平面図である。
【図８】本考案の一実施形態に係る施錠金具の正面図であり、（ａ）は施錠状態を示し、（ｂ）は開錠状態を示している。
【図９】施錠状態での本考案の一実施形態に係る施錠金具を示す側面図であり、（ａ）は第１の側板部側からの側面図、（ｂ）は第２の側板部側からの側面図を示す。
【図１０】開錠状態での本考案の一実施形態に係る施錠金具を示す側面図である。
【考案を実施するための形態】
【００１１】
以下、本考案に係る開閉式パーティションの施錠金具について図面を参照して詳細に説明する。
【００１２】
図１（ａ）、（ｂ）において、符号３は本実施形態における開閉式パーティションを示している。同図に示すように、ベランダ１００の手摺１０１と建物躯体壁１０２との間の開口部１０３に設けられるパーティション３は、建物躯体壁１０２に蝶番３５によって回動し、開口部１０３を開閉可能に取り付けられている。
【００１３】
図１（ａ）に示すように、パーティション３を閉じた状態では、パーティション３は、手摺１０１に取り付けた戸当たり金具１と、パーティション３の縦枠３１に装着された施錠金具本体２と、この施錠金具本体２を貫通するボルト４によって施錠されている。
一方、図１（ｂ）に示すように、パーティション３を開いた状態では、パーティション３は建物躯体壁１０２側に取り付けた蝶番３５によって回動する。このとき、パーティション３は、戸当たり金具１の戸当たり部１１を取り付けた側には開かない片開きの構造となっている。
【００１４】
＜パーティション３＞
図１（ａ）に示すように、パーティション３は、左右の縦枠３１と、上下の横枠３２と、この縦枠３１と横枠３２とで囲まれたドアパネル３３（面材）からなる。
【００１５】
縦枠３１の一辺には、蝶番３５が取り付けられる。この蝶番３５は、パーティション３を回動可能に保持する。縦枠３１の他の一辺には、このパーティション３を、手摺１０１に取り付けた戸当たり金具１とで施錠および開錠するための施錠金具本体２が取り付けられる。
【００１６】
建物の壁面とパーティション３との間の隙間は、プライバシーや保安上の点から可能な限り小さくするのがよく、蝶番３５は建物躯体壁１０２側に取り付けられるのがよい。蝶番３５は建物躯体壁１０２側であれば、壁面とパーティション３との間の隙間が０ｍｍでも取り付けられる。また、蝶番３５は、ベランダ１００の壁面の既設のアンカー穴を再利用して設置するとベランダ１００の外観を損なわない。この蝶番３５は例えば２〜３箇所取り付けられるのがよい。
【００１７】
縦枠３１、横枠３２およびドアパネル３３の材質は特に限定されるものではないが、縦枠３１と横枠３２としては、例えば、スチール、アルミニウム、ステンレス等の不燃材で軽量且つ薄板のものが挙げられる。縦枠３１としては、例えば中空の角パイプが使用されるのがよい。また、ドアパネル３３には、不燃材で且つ火災等不測の事態に備えて破壊し易い材質を用いてもよい。このような材質には、例えばケイ酸カルシウム板等が挙げられる。
【００１８】
＜戸当たり金具１＞
図２に示すように、戸当たり金具１は、開口部１０３内に突出し、開口部１０３の横方向に突出した戸当たり部１１と、手摺１０１に取り付けるための取付部１２とから構成される略Ｌ字形のプレートである。パーティション３は、戸当たり部１１に対して矢印Ａの方向に移動して開閉する。この戸当たり金具１は、パーティション３の既設金具や既設ボルトを利用して取り付けることができる。戸当たり金具１は１つでも複数であってもよい。
【００１９】
戸当たり部１１は、ベランダ１００の開口部１０３の幅にばらつきがある場合、例えばパーティション３と手摺１０１との隙間に５〜４０ｍｍ程度のばらつきがある場合、戸当たり部１１を交換するなどして、戸当たり部１１の開口部１０３の横方向の長さを調整すれば、施錠金具本体２によって施錠できる。
【００２０】
戸当たり部１１は、取付部１２に設けた固定用ねじ挿通穴１４よりねじ６を挿通させ、手摺１０１にボルト止めする。さらに、戸当たり部１１には、戸当たり金具１が回転したり動いたりしないように回転防止用ねじ挿通穴（図示せず）を設け、ねじが締められていてもよい。
さらに、戸当たり部１１のうち、パーティション３の縦枠３１と対向する面には、接触した際に縦枠３１に傷を付けないように図７および図８に示すような緩衝材１３を設けていてもよい。この緩衝材１３は、例えば樹脂、ゴム、布材などの素材が挙げられ、戸当たり部１１に接着剤などで固定して使用される。
【００２１】
＜施錠金具本体２＞
図３に示すように、施錠金具本体２は、パーティション３の縦枠３１の一側面部（戸当たり部１１側）に位置する第１の側板部２１と、パーティション３の縦枠３１の他側面部（縦枠３１を挟んで第１の側板部２１と反対側）に位置する第２の側板部２２と、パーティション３の縦枠３１の端面部に位置し、第１の側板部２１および第２の側板部２２（以下、両側板部２１，２２と表記する）を連結する連結板部２３とから構成される。
【００２２】
図３に示すように、両側板部２１、２２は、それぞれ上端に把手部２６、２６’が形成されている。この把手部２６、２６’は、両側板部２１，２２の上部を囲うように配置されるのがよい。また、使用者は把手部２６、２６’を用いて、施錠および開錠に伴う施錠金具本体２の上下方向への移動や、パーティション３の開閉を容易に行うことができる。この把手部２６、２６’は、連結板部２３を挟んで左右対称の形状である。
【００２３】
図４（ａ）に示すように、第１の側板部２１は、後述するボルト４を挿通するための縦向きの長穴２５（ルーズ孔）を有する。この長穴２５の上端の周縁部は、側面視した場合に断面略Ｌ字形の把手部２６により囲まれている。また、把手部２６の下方向への板材と長穴２５を挟んで対向する面には、側壁部２６１が形成されている。すなわち、長穴２５は、少なくとも上端の周縁部の３面が把手部２６および側壁部２６１により囲まれている。この側壁部２６１は長穴２５の全長に設けられていてもよい。
【００２４】
図４（ｂ）に示すように、第２の側板部２２には、連結板部２３を挟んで、第１の側板部２１と対称になるよう設けられ、ボルト４が挿通する縦向きの長穴２５’を有する。また、長穴２５’の上端の周縁部には、把手部２６’が設けられ、上述した第１の側板部２１の側板壁２６１に該当する側壁部２６２が設けられる。この長穴２５’は、縦枠３１を挟んで位置や長さが長穴２５と対称となるように形成されるのがよい。
【００２５】
図５および図６に示すように、連結板部２３には、後述するねじ４１を挿通するための縦向きの長穴２４が設けられている。ねじ４１は、施錠金具本体２をパーティション３に取り付けるものであり、縦枠３１に固定される。連結板部２３は、ねじ４１に対して、長穴２４によりスライド可能である。すなわち、連結板部２３は、ねじ４１と長穴２４とにより、両側板部２１，２２が長穴２５，２５’に沿って上下動するのと連動して、パーティション３の縦枠３１の上下動させることができる。
【００２６】
施錠金具本体２に設けられた長穴２４および長穴２５，２５’の縦方向の長さは、特に限定されないが、施錠金具本体２を上方へ移動させたとき、戸当たり金具１の戸当たり部１１と接触しない長さであればよい。このような長穴２４および長穴２５，２５’の縦方向の長さは同じであるのがよい。
【００２７】
両側板部２１、２２において縦枠３１と対向する面には、縦枠３１側に突出した爪部２８がそれぞれ設けられている。この爪部２８と連結板部２３との間には、隙間２７が設けられる。隙間２７は下方が開口しており、施錠時に戸当たり部１１を下方から挿入して収容するための切欠き部である。すなわち、施錠金具本体２を長穴２５、２５’に沿って上下動させることにより、戸当たり部１１は隙間２７から着脱可能になる。また、爪部２８は、図５および図６に示すように、両側板部２１，２２の側壁部２６１、２６２と同方向にそれぞれ突出した側壁部２８１，２８２の下端を裏側から折り曲げて形成されている。
【００２８】
両側板部２１，２２および連結板部２３は、溶接や接着などで接続されていてもよいが、プレスなどで１枚の金属板（板厚１〜５ｍｍ程度）を折り曲げることよって、一体に形成されているのが好ましい。
施錠金具本体２の材質は特に限定されないが、例えば、ステンレス、アルミニウム、スチール等が挙げられる。この施錠金具本体２は、工事終了後に、施錠状態でそのまま引き渡してもよいし、あるいは取り外して、次の工事現場で再利用することもできる。なお、工事完了後に施錠金具本体２を取り外した後は、既設の金具などで再利用して、パーティションを元の状態に戻せばよい。このとき、縦枠３１の貫通穴３６のねじ穴には、M6×L10ナベ頭ボルトで反対側の貫通穴３６’には７ｍｍリベットなどで化粧蓋をしてもよい。このような施錠金具本体２は、右開きまたは左開きのいずれのパーティションにも対応できるように、連結板部２３を挟んで左右対称の形状であるのがよい。
【００２９】
＜ボルト４＞
図７は、施錠金具の施錠状態を示す平面図を示している。このとき、両側板部２１，２２は縦枠３１および戸当たり部１１を挟んでいる。すなわち、第１の側板部２１は、縦枠３１の一側面部に位置し、第２の側板部２２は縦枠３１の他側面部（第１の側飯給２１と反対側）に位置している。
【００３０】
図７に示すように、ボルト４は、第１の側板部２１側の長穴２５から挿入され、縦枠３１に形成された一方の貫通穴３６を広げて圧設されたねじ穴３４と螺合し、縦枠３１に形成された他方の貫通穴３６’を通して第２の側板部２２側の長穴２５’を貫通する。この長穴２５’を貫通したボルト４のねじ部の任意の位置にナット５が固定される。なお、ボルト４が全ねじであれば、両側板部２１，２２のいずれの側からでも挿入してもよい。
【００３１】
ボルト４は、縦枠３１の貫通穴３６、３６’だけでなく、縦枠３１に設けられたねじ穴３４に螺合し、これを貫通するように設けられていてもよい。このねじ穴３４は、貫通穴３６、３６’と接続するように、第１の側板部２１または第２の側板部２２のいずれか一方の側の縦枠３１に設けられるのがよい。ねじ穴３４は、例えば縦枠３１の貫通穴３６、３６’のいずれ一方をφ６．５ｍｍからφ９．０ｍｍに広げてナット（ブラインドナット）を圧設することによって形成してもよい。
【００３２】
ボルト４は、特に限定されず、例えば六角ボルト、四角ボルト、皿ボルトなどが挙げられる。中でも、汎用性や入手のしやすさから、ボルト４として六角ボルトを用いるのがよい。
【００３３】
ボルト４は、ねじ部があれば、全ねじまたは半ねじのいずれであってもよい。なお、ボルト４が半ねじの場合は、ねじ部がねじ穴３４（ブラインドナット）に螺合するよう挿入する。ボルト４の長さは特に限定されないが、パーティション３の縦枠３１より両端が突出するように、縦枠３１の幅より長めに形成されているのがよい。また、ボルト４としては、例えば通常のプラス溝やマイナス溝以外の、専用工具以外では嵌入できない異形溝を有するいたずら防止ねじなどを用いてもよい。
【００３４】
＜ナット５＞
図７に示すように、ナット５は、施錠金具本体２の両側板部２１，２２のいずれかの外側でボルト４のねじ部の任意の位置に一体に固定する。ボルト４上に固定されたナット５は、例えばボルト４を回しても、ボルト４ごとナット５が回転するため、ボルト４上を移動しない。このナット５の固定位置を移動させるには、例えばスパナとボックスレンチとを用いるのがよい。このナット５としては、例えば六角ナットや袋ナットなどが挙げられるが、特に、雄ナットと雌ナットとからなる緩み止めのダブルナット（例えば、ハードロックナット（登録商標））が挙げられる。ダブルナットの雄ナットには、ネジ孔と、ネジ孔の周りに軸方向外方にしたがって縮径するテーパー状の外周面を有する凸部と、が形成されている。また、ダブルナットの雌ナットには、雄ナットの凸部が嵌合する凹部と、この凹部を外周に形成したネジ孔と、が形成されている。ボルト４のねじ部で雄ナットと雌ナットとを締め合わせると、ダブルナットを自由位置で固定することができる。
このようなダブルナットは、まずボルト４の先からに雄ナットを回してスパナで掴み、次に、雌ナットをボックスレンチで回し、雌ナットの凹部を雄ナットの凸部と嵌合させて締結する。
【００３５】
上記したボルト４およびナット５を回すレンチは特に限定されないが、例えば外径φ１４．０ｍｍの特殊なＭ６ボックスレンチを用いるのがよい。通常市販されているレンチ（例えばボックスレンチ）の外径は、ＪＩＳ規格のＭ６程度でφ１５．５ｍｍ程度であるので、このＭ６のボックレンチとは１．５ｍｍの外径厚差が生じる。施錠金具本体２を施錠位置（戸当たり金具１の天端に当たる位置）まで移動させた場合、把手部２６（２６’）および側壁部２６１（２６２）により、長穴２５（２５’）の最上端に位置するボルト４の頭またはナット５が囲まれる。市販のレンチでは把手部２６（２６’）および側壁部２６１（２６２）に接触してしまい、ボルト４またはナット５を回転させることができない。そのため、上述した特殊な径のレンチを鍵として用いれば、これ以外ではボルト４およびナット５を回せないため施錠および開錠ができず、防犯対策上の安全性が高くなる。
【００３６】
＜施錠金具の取り付け方法＞
本考案にかかる施錠金具は、以下の手順で既設のパーティションに取り付けることができる。
（Ｉ）まず、パーティションが設置してある現状位置で、既設パーティションの縦枠のうち、建物躯体壁側の既設ボルト取り付け穴を使用して、蝶番（例えば市販のめくら蝶番）を縦枠に取り付ける。
（ＩＩ）次に、手摺側の既設の取り付け穴に、手摺とパーティション枠との隙間に対応できる戸当り金具を、既設ボルトを利用して取り付ける。
（ＩＩＩ）次に、施錠金具本体を縦枠にあてがい、施錠状態で施錠金具本体が戸当たり金具と接触する位置（施錠金具本体の連結板部の長穴の上端部の位置）で、ボルトを挿通するための貫通穴および固定用のねじ穴の開孔位置を決める。
（ＩＶ）次に、施錠金具本体の両側板部の長穴の上端部の位置で、ボルトを挿通するための貫通穴および固定用のねじ穴をパーティションの縦枠にドリルなどで形成する。
（Ｖ）次に、縦枠に形成した一対の貫通穴の開口部のうち、いずれかの側にブラインドナットを圧設する。
（ＶＩ）次に、先ほど縦枠の側面部に形成したねじ穴に、ねじを連結板部の長穴から挿通させて施錠金具本体をパーティションに仮固定した後、パーティションの枠幅より長いボルトを、施錠金具本体の両側板部の一方の長穴から、ブラインドナットに螺合させながら、パーティションに形成した貫通穴を挿通させ、他方の長穴まで貫通させる。このとき、他方の長穴から突出したボルトの長さは、ボルトの頭部の高さの約４倍ほどであるのがよい。
（ＶＩＩ）次に、ボルトの他端よりナット（ダブルナット）を通し、施錠金具本体の側板部より離して、ボルト上のねじ部の任意の位置に固定する。
（ＶＩＩＩ）最後に、施錠金具本体を、パーティションの縦枠に沿って施錠状態の位置まで下げると、両側のボルトの頭部およびナットは、それぞれ３面を施錠金具本体の把手部および側壁部に囲まれた施錠位置となる。このとき、ボルトを締めれば、施錠金具本体を縦枠に押し付けて施錠できる。
【００３７】
＜施錠金具の使用方法＞
本考案にかかる施錠金具は、ボルト４またはナット５を締める、あるいは緩めることにより、施錠金具本体２を戸当たり金具１の戸当たり部１１に対して上下方向にスライド可能にさせて、施錠および開錠するものである。この施錠金具は、パーティション３のいずれの側からでも施錠および開錠することができる。
【００３８】
施錠状態とは、図８（ａ）に示すように、施錠金具本体２の両側板部２１，２２の爪部２８と連結板部２３との間の隙間２７に戸当たり部１１が嵌入しており、且つ縦枠３１に形成された貫通穴３６、３６’を貫通したボルト４またはナット５が施錠金具本体２の両側板部２１，２２のいずれか一方を縦枠３１に押し付けている状態を指す。この場合、施錠金具本体２は長穴２５，２５’に沿って上下方向にスライドできず、施錠される。
【００３９】
図９（ａ）および（ｂ）に示すように、施錠されているとき、戸当たり部１１は、施錠金具本体２の爪部２８と連結板部２３との間の隙間２７に嵌入されている。そのため、パーティション３は開くことができない。このとき、ボルト４は長穴２５，２５’の上端部に位置している。また、連結板部２３のねじ４１も長穴２４の上端部に位置する。
【００４０】
一方、開錠状態とは、図８（ｂ）および図１０に示すように、施錠金具本体２が上方に持ち上げられて、戸当たり部１１から外れている状態を指す。このとき、ボルト４またはナット５が施錠金具本体２の両側板部２１，２２を縦枠３１に押し付けていない状態であり、施錠金具本体２は長穴２５，２５’に沿って、自在に上下方向にスライドできる。そのため、施錠金具本体２を持ち上げて、隙間２７より戸当たり部１１から外し、パーティション３を開くことができる。なお、パーティション３の開錠状態を保持するためには、上方向にスライドさせた状態の施錠金具本体２を、ボルト４で縦枠３１に押し付けて固定するなどの方法がある。
【００４１】
上記したように、施錠金具本体２を戸当たり金具１の戸当たり部１１から着脱させて開錠・施錠を行うためには、ボルト４またはナット５のいずれかで、施錠金具本体２を縦枠３１に押し付けたり、解除したりする必要がある。
ボルト４を用いて施錠および開錠を行う場合、ボルト４を締めれば施錠金具本体２の両側板部２１，２２を縦枠３１に押し付けて、施錠金具本体２が長穴２５、２５’に沿って上方向にスライドできなくなるので施錠となる。反対にボルト４を緩めれば、縦枠３１への両側板部２１，２２の押し付けが無くなり、施錠金具本体２を上方向に持ち上げることができ、開錠できる。
【００４２】
一方、ボルト４で施錠した反対側から開錠する場合、特殊な径のレンチによりナット５を締めれば、両側板部２１，２２からボルト４が離れて、縦枠３１への押し付けが無くなるため、施錠金具本体２が長穴２５、２５’を上方向に持ち上げることができるようになり開錠できる。反対に、ナット５を緩めれば、ボルト４が両側板部２１，２２の一方を縦枠３１に押し付けるので施錠となる。
【００４３】
このように、施錠されているパーティション３は、ボルト４側から見て、縦枠３１と施錠金具本体２の側板部との隙間がなければ、一方の側板部を縦枠３１に押し付けているボルト４を緩める事で開錠できる。また、隙間がある場合は、ボルト４を締める事でナット５側の側板部の縦枠３１への押し付けを緩めて開錠できる。また、反対側のナット５から使用する場合も同様に、側板部とナット５との隙間を見て、開錠・施錠すればよい。
【００４４】
以上、述べたように、本考案の施錠金具は、パーティション３を挟んで、左右どちらからでも開閉でき、かつ施錠および開錠ができるので、工事の施工効率を向上させることができる。さらに、マンションの施工精度によるパーティション３の両側のそれぞれの隙間寸法の変化にも、関係なくスムーズな施錠および開錠が可能である。
【００４５】
本考案は、上述の実施形態の一例に限定されるものではなく、実用新案登録請求の範囲の記載の範囲内で種々の変更や改良が可能である。本考案の施錠金具は、ベランダのパーティションだけではなく、例えば室内や屋外に設置される開閉式パーティションにも適用可能であることも勿論である。
【符号の説明】
【００４６】
１      戸当たり金具
２      施錠金具本体
３      パーティション
４      ボルト
５      ナット
６      ねじ
１１    戸当たり部
１２    取付部
１３    緩衝材
１４    固定用ねじ挿通穴
２１    第１の側板部
２２    第２の側板部
２３    連結板部
２４    長穴
２５、２５’    長穴
２６、２６’  把手部
２７    隙間
２８    爪部
２６１，２６２  側壁部
２８１，２８２  側壁部
３１    縦枠
３２    横枠
３３    ドアパネル
３４    ねじ穴
３５    蝶番
３６、３６’    貫通穴
４１    ねじ
１００  ベランダ
１０１  手摺
１０２  建物躯体壁
１０３  開口部
【図１】
0003216444.tif 000003
【図２】
0003216444.tif 000004
【図３】
0003216444.tif 000005
【図４】
0003216444.tif 000006
【図５】
0003216444.tif 000007
【図６】
0003216444.tif 000008
【図７】
0003216444.tif 000009
【図８】
0003216444.tif 000010
【図９】
0003216444.tif 000011
【図１０】
0003216444.tif 000012